(57)【要約】【課題】本発明の受信装置によれば、あるチャンネルの固定受信向け番組を試聴中に、別チャンネルの１セグメント放送を子画面表示する。【解決手段】復調手段から入力した複素情報のうち、ユーザが指定したチャンネルにかかる部分セグメントの複素情報と、他のチャンネルにかかる部分セグメントの複素情報を置き換え可能か否かを判断し、複素情報の置き換えが可能な場合は置き換えされる部分セグメントの伝送パラメータを置き換えるとともに、復調手段から入力した複素情報のうち、ユーザが指定したチャンネルにかかる部分セグメントの複素情報と、他のチャンネルの部分セグメントの複素情報の置き換えを行う。【選択図】図１
2006041982.tif 000002
【特許請求の範囲】
【請求項１】
デジタル多値変調方式によりキャリア変調された信号を複数のアンテナで受信し、復調処理する受信装置であって、
前記複数のアンテナから受信した受信信号の信号点を示す複素情報を出力するとともに、受信信号から復調に必要な情報を記述した伝送パラメータを抽出し、出力する復調手段と、前記復調手段から入力した複素情報のうち、ユーザが指定したチャンネルにかかる部分セグメントの複素情報と、他のチャンネルにかかる部分セグメントの複素情報を置き換え可能か否かを判断し、その判断結果を出力するとともに、複素情報の置き換えが可能な場合は置き換えされる部分セグメントの伝送パラメータを置き換える伝送パラメータ比較手段と、前記伝送パラメータ比較手段から入手した判断結果に基づいて前記復調手段から入力した複素情報のうち、ユーザが指定したチャンネルにかかる部分セグメントの複素情報と、他のチャンネルの部分セグメントの複素情報の置き換えを行う合成手段と、前記伝送パラメータ比較手段が出力した伝送パラメータに従って、前記合成手段から入力した複素情報のビットデータ復元を行うデマッピング手段を有することを特徴とする受信装置。
【請求項２】
デジタル多値変調方式によりキャリア変調された信号を複数のアンテナで受信し、復調処理する受信装置であって、
前記複数のアンテナから受信した受信信号の信号点を示す複素情報を出力するとともに、受信信号から復調に必要な情報を記述した伝送パラメータを抽出し、出力する復調手段と、前記復調手段から入力した複素情報のうち、ユーザが指定したチャンネルにかかる部分セグメントの複素情報と、他のチャンネルにかかる部分セグメントの複素情報を置き換え可能か否かを判断し、その判断結果を出力するとともに、複素情報の置き換えが可能な場合は置き換えされる部分セグメントの伝送パラメータを置き換える伝送パラメータ比較手段と、前記復調手段から入力した複素情報のダイバーシティ合成を行うとともに、前記伝送パラメータ比較手段から入手した判断結果に基づいてダイバーシティ合成後の複素情報のうち、ユーザが指定したチャンネルにかかる部分セグメントの複素情報と、他のチャンネルの部分セグメントの複素情報の置き換えを行う合成手段と、前記伝送パラメータ比較手段が出力した伝送パラメータに従って、前記合成手段から入力した複素情報のビットデータ復元を行うデマッピング手段を有することを特徴とする受信装置。
【請求項３】
前記伝送パラメータ比較手段は、受信信号の伝送モードおよびガードインターバル期間長と有効シンボル期間長の比率を示すガード比が同じであり、かつ、複素情報の置き換えにかかる受信信号がともに部分セグメントを持っている場合に複素情報の置き換えが可能と判断することを特徴とする請求項１または２に記載の受信装置。
【請求項４】
前記合成手段は、ユーザが指定したチャンネルにかかる部分セグメントの複素情報をいったんバッファ手段に記憶させ、記憶した部分セグメントの先頭位置を、他のチャンネルにおける部分セグメント以外のセグメントの先頭位置にあわせて出力することで複素情報の置き換えを行うことを特徴とする請求項１から３に記載の受信装置。
【請求項５】
さらにユーザが子画面表示を行うことを希望するチャンネルを指定できる置き換え指示手段を備えた請求項１から４に記載の受信装置であって、
前記伝送パラメータ比較手段は、前記置き換え指示手段に指定されたチャンネルの部分セグメントの複素情報と他のチャンネルにかかる部分セグメントの複素情報を置き換えが可能か否か判断し、前記合成手段は、前記置き換え指示手段に指定されたチャンネルの部分セグメントの複素情報と他のチャンネルにかかる部分セグメントの複素情報を置き換えることを特徴とする受信装置。
【請求項６】
さらに前記置き換え指示手段からの指令に基づいて受信信号から特定の周波数帯域の信号を抽出するチューナ手段を備えた請求項５に記載の受信装置であって、
前期複数アンテナの１本に対応するチューナ手段が前記置き換え指示手段により指定されたチャンネルの周波数帯域の信号を抽出し、残るアンテナに対応するチューナ手段は前記置き換え指示手段により指定されたチャンネル以外の主画面表示用のチャンネルの周波数帯域の信号を抽出するとともに、前記合成手段は、前記復調手段から入力した主画面表示用のチャンネルにかかる複素信号をダイバーシティ合成するとともに、前記置き換え指示手段に指定されたチャンネルの部分セグメントの複素情報とダイバーシティ合成後の主画面表示用のチャンネルにかかる部分セグメントの複素情報を置き換える
ことを有することを特徴とする受信装置。
【請求項７】
デジタル多値変調方式によりキャリア変調された信号を複数のアンテナで受信し、復調処理する受信方法であって、
前記複数のアンテナから受信した受信信号の信号点を示す複素情報を出力するとともに、受信信号から復調に必要な情報を記述した伝送パラメータを抽出し、出力する復調ステップと、前記復調ステップから入力した複素情報のうち、ユーザが指定したチャンネルにかかる部分セグメントの複素情報と、他のチャンネルにかかる部分セグメントの複素情報を置き換え可能か否かを判断し、その判断結果を出力するとともに、複素情報の置き換えが可能な場合は置き換えされる部分セグメントの伝送パラメータを置き換える伝送パラメータ比較ステップと、前記伝送パラメータ比較ステップから入手した判断結果に基づいて前記復調ステップから入力した複素情報のうち、ユーザが指定したチャンネルにかかる部分セグメントの複素情報と、他のチャンネルの部分セグメントの複素情報の置き換えを行う合成ステップと、前記伝送パラメータ比較ステップが出力した伝送パラメータに従って、前記合成ステップから入力した複素情報のビットデータ復元を行うデマッピングステップを有することを特徴とする受信方法。
【請求項８】
デジタル多値変調方式によりキャリア変調された信号を複数のアンテナで受信し、復調処理する受信方法であって、
前記複数のアンテナから受信した受信信号の信号点を示す複素情報を出力するとともに、受信信号から復調に必要な情報を記述した伝送パラメータを抽出し、出力する復調ステップと、前記復調ステップから入力した複素情報のうち、ユーザが指定したチャンネルにかかる部分セグメントの複素情報と、他のチャンネルにかかる部分セグメントの複素情報を置き換え可能か否かを判断し、その判断結果を出力するとともに、複素情報の置き換えが可能な場合は置き換えされる部分セグメントの伝送パラメータを置き換える伝送パラメータ比較ステップと、前記復調ステップから入力した複素情報のダイバーシティ合成を行うとともに、前記伝送パラメータ比較ステップから入手した判断結果に基づいてダイバーシティ合成後の複素情報のうち、ユーザが指定したチャンネルにかかる部分セグメントの複素情報と、他のチャンネルの部分セグメントの複素情報の置き換えを行う合成ステップと、前記伝送パラメータ比較ステップが出力した伝送パラメータに従って、前記合成ステップから入力した複素情報のビットデータ復元を行うデマッピングステップを有することを特徴とする受信方法。
【請求項９】
請求項７または８に記載の方法をハードウェアを用いて実現させるための手順をハードウェアで読み取り可能な言語により記述したプログラム。
【請求項１０】
請求項９に記載のプログラムを格納したハードウェアで読み取り可能な記録媒体。
【発明の詳細な説明】
【技術分野】
【０００１】
本発明は、地上デジタル放送を受信する技術に関するものである。
【背景技術】
【０００２】
日本の地上デジタル放送方式では、従来のアナログ放送１チャンネルにあたる６ＭＨｚの伝送帯域を１３セグメントに分割し、これを幾つか束ね、最大３階層に分割して利用することができる。これは、広い伝送帯域を必要とするハイビジョン放送（ＨＤＴＶ）と通常画質の放送（ＳＤＴＶ）などを自由に組み合わせて電波の有効活用を図るための措置である。例えば、ＨＤＴＶは１２セグメント必要であるが、ＳＤＴＶは４セグメントで足りるため、ＳＤＴＶ方式の放送については１チャンネルで３つの異なる番組を同時に放送可能である。
【０００３】
地上デジタル放送方式では、１３セグメントのうち１２セグメントが固定受信向け放送として用いられ、残る１セグメントは移動体向け放送に予約されている。この１セグメントを用いたデジタル放送は１セグメント放送と呼ばれる。伝送帯域が３００ｋｂｐｓ程度の伝送量であり解像度やビットレートの低い映像しか伝送できないが、携帯端末等の特性を活かした新たなサービスの展開が期待されている（地上デジタル放送方式については非特許文献１を参照）。
【０００４】
１セグメントを使った移動体端末向けの部分受信向け放送と、１２セグメントを使った固定受信向け放送では、情報源符号化方式を変え（１セグメントはＨ．２６４、１２セグメントはＭＰＥＧ−２）、情報レートを変え、同じ番組を送信することが予定されている（サイマル放送）。
【０００５】
さらに、将来的には１セグメント部分の帯域を用いた独自コンテンツやデータ放送を送信することも予想される。
【０００６】
以上のように、日本の地上デジタル放送方式では移動体向けに１セグメントが用意されているが、移動体で固定受信向け１２セグメント部分の番組を試聴することも可能である。このように、移動体において固定受信向け番組を受信する場合、受信品質を向上させる目的でダイバーシティ受信（スペースダイバーシティ）方式を採用した受信機が実用化されようとしている。
【非特許文献１】ＡＲＩＢ  ＳＴＤ−Ｂ３１「地上デジタルテレビジョン放送の伝送方式」  平成１３年５月３１日
【発明の開示】
【発明が解決しようとする課題】
【０００７】
上述の通り、日本の地上デジタル放送方式において移動体用に用意された１セグメントでの放送としては、固定受信向け番組のサイマル放送や移動体向け独自コンテンツの放送、データ放送といったものが考えられる。
【０００８】
この際、視聴者が固定受信向け１２セグメント番組を試聴中に別チャンネルの１セグメント放送を利用した子画面表示を行なわせることができれば非常に便利である。同一チャンネルの１セグメントサイマル放送を利用して１２セグメントで放送される固定受信向け番組に重ねて子画面を画面表示したとしても、両者が同一番組である以上、ユーザに何等利便性を提供することはない。１セグメント放送が移動体向け独自コンテンツの放送やデータ放送であれば固定受信向け番組に重ねて別情報を子画面表示させることで一定の効果が見込まれるが、所詮は同一放送局が提供するデータ放送に過ぎず、ユーザの嗜好に完全に対応することは困難である。この点、固定受信向け番組を表示中に子画面にて別チャンネルのデータ放送を表示できるのであれば、ユーザは自らの好みに応じて子画面を選択することができる。例えば、ＴＶドラマを視聴中に別チャンネルで放送中のプロ野球中継を子画面表示することができる。
【０００９】
従来、別チャネルの番組を同時に画面表示させるためには、固定受信向け番組を視聴するチューナ＋復調器に加えて、もう１組のチューナ＋復調器の構成が必要であり、トランスポートストリームレベルで番組を選択、合成する必要があった。
【課題を解決するための手段】
【００１０】
上記課題を実現すべく、本発明にかかる受信装置は、デジタル多値変調方式によりキャリア変調された信号を複数のアンテナで受信し、復調処理する受信装置であって、前記複数のアンテナから受信した受信信号の信号点を示す複素情報を出力するとともに、受信信号から復調に必要な情報を記述した伝送パラメータを抽出し、出力する復調手段と、前記復調手段から入力した複素情報のうち、ユーザが指定したチャンネルにかかる部分セグメントの複素情報と、他のチャンネルにかかる部分セグメントの複素情報を置き換え可能か否かを判断し、その判断結果を出力するとともに、複素情報の置き換えが可能な場合は置き換えされる部分セグメントの伝送パラメータを置き換える伝送パラメータ比較手段と、前記伝送パラメータ比較手段から入手した判断結果に基づいて前記復調手段から入力した複素情報のうち、ユーザが指定したチャンネルにかかる部分セグメントの複素情報と、他のチャンネルの部分セグメントの複素情報の置き換えを行う合成手段と、前記伝送パラメータ比較手段が出力した伝送パラメータに従って、前記合成手段から入力した複素情報のビットデータ復元を行うデマッピング手段を有することを特徴としている。
【発明の効果】
【００１１】
本発明の受信装置によれば、あるチャンネルの固定受信向け番組を試聴中に、別チャンネルの１セグメント放送を子画面表示することができる。
【発明を実施するための最良の形態】
【００１２】
（実施の形態１）
図１は、本発明の実施の一例の構成を示すブロック図である。
【００１３】
図１において、１０１ａはアンテナ手段、１０２ａはチューナ手段、１０３ａはＡ／Ｄ変換手段、１０４ａは直交検波手段、１０５ａはＦＦＴ演算手段、１０６ａは復調手段、１０７は伝送パラメータ比較手段、１０８は合成手段、１０９はデインタリーブ手段、１１０はデマッピング手段、１１１はビットインタリーブ手段、１１２は誤り訂正手段である。
【００１４】
一方、１０１ｂは、１０１ａとは異なるアンテナ手段であり、１０２ｂはチューナ手段、１０３ｂはＡ／Ｄ変換手段、１０４ｂは直交検波手段、１０５ｂはＦＦＴ演算手段、１０６ｂは復調手段である。
【００１５】
本実施の形態では、アンテナ手段１０１ａはＡ放送局からチャンネルａに関する放送電波を受信し、アンテナ手段１０１ｂはＢ放送局からチャンネルｂに関する放送電波を受信しているものとする。
【００１６】
アンテナ手段１０１ａは、Ａ放送局から送信されるチャンネルａの放送電波を電気信号に変換して出力する。チューナ手段１０２ａは、アンテナ手段１０１ａより得られた信号から、特定の周波数帯域の信号を抽出し、ベースバンドもしくは一定の周波数帯域の信号へと変換する。Ａ／Ｄ変換手段１０３ａは、チューナ手段から得られたアナログ信号をデジタル信号へと変換する。
【００１７】
直交検波手段１０４ａは、ＯＦＤＭ伝送信号の検波を行い、送信信号と復調手段の持つ周波数基準信号との周波数誤差を算出し補正したり、周波数ＯＦＤＭシンボル期間とガードインターバル期間を算出し、ＯＦＤＭシンボル期間の信号を出力する。また、ＯＦＤＭ伝送信号の伝送モードやガードインターバル期間の長さも判定する。
【００１８】
ＯＦＤＭ信号はガードインターバル期間と有効シンボル期間から構成され，ガードインターバル期間は有効シンボル期間の後方の部分をそのまま有効シンボル期間の前方に付加したものである。つまり、ガードインターバル期間の信号は、ＯＦＤＭ信号の一部をコピーしたものなので、ＯＦＤＭシンボル（有効シンボル期間＋ガードインターバル期間）には、同一の信号が繰り返し含まれる箇所が存在する。ＯＦＤＭ信号の時間方向の相関値を算出すると、ガードインターバル期間に応じたところに高い相関を示すため、ガードインターバル長や、有効シンボル期間とガードインターバル期間の比率を示すガード比、伝送モードが判定できる。そして、直交検波手段では、有効シンボル期間に相当する信号だけを抽出し後段のＦＦＴ演算手段へと送るとともに、モード、ガード比の情報を伝送パラメータ比較手段１０７に出力する。
【００１９】
ＦＦＴ演算手段１０５ａは、直交検波手段１０４ａから得られたＯＦＤＭシンボル期間の時間領域の信号をＦＦＴ演算処理し周波数領域の信号へと変換する。
【００２０】
復調手段１０６ａは、ＯＦＤＭ信号に挿入されたＴＭＣＣ（（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  ａｎｄ  Ｃｏｎｔｒｏｌ））信号を復調し、ＯＦＤＭ伝送信号の各種パラメータ情報を入手する。この伝送パラメータの情報には、伝送モードやキャリア変調方式、符号化率、階層情報、インターリーブ長などの情報が含まれる。
【００２１】
さらに、復調手段１０６ａは、ＯＦＤＭ信号に周波数および時間方向に一定間隔で配置されているパイロット信号を抽出する。復調手段１０６ａは、抽出したパイロット信号を基準値（既知の振幅と位相）と比較し、振幅と位相の変化からパイロット信号の存在したキャリアの伝送路特性（振幅と位相のずれの程度）を算出する。次に、前記パイロット抽出手段で算出したパイロット信号の存在したキャリアの伝送路特性を時間方向および周波数方向に補間し、全てのＯＦＤＭキャリアの伝送路特性の推定値を算出し出力する。補間はパイロットキャリアの伝送路特性を用い、パイロットキャリア間に存在するデータキャリアの数に応じて順次増加または順次減少するよう、あるいは平均値で統一すること等により行なう。そして、前記ＦＦＴ演算手段１０５ａより入手した信号を、伝送路特性の推定値で除算し、除算結果に基づく複素信号を算出、合成手段１０８に出力する。
【００２２】
また、復調手段１０６ａは、パイロット信号より推定した伝送路特性を用いて算出した各ＯＦＤＭキャリアの電力量を示す電力情報や各ＯＦＤＭキャリアの振幅量を示す振幅情報を合成手段１０８ａに出力する。
【００２３】
１０１ｂ乃至１０６ｂの構成についても、個々の説明は上記１０１ａ乃至１０６ａと同一となるため省略する。
【００２４】
伝送パラメータ比較手段１０７は、チャンネルａとチャンネルｂの部分受信セグメント（１セグメント部分）の置き換えが可能か否かを判断する。
【００２５】
図２は伝送パラメータ比較手段１０７がチャンネルａとチャンネルｂの部分受信セグメントの置き換えができるか否かの判定を行なう際の手順を示したフローチャートである。また、図３はチャンネルａとチャンネルｂの部分受信セグメントの置き換えを示した概念図である。
【００２６】
伝送パラメータ比較手段１０７は、図示しない置き換え指示部よりセグメントの置き換え指令を入力する。この置き換え指示はユーザによる子画面表示の指令に基づいて発せられるものであってもよい。伝送パラメータ比較手段１０７はまた、チャンネルａ、チャンネルｂのモード、ガード比の情報を復調手段１０６ａ、１０６ｂから入手する。さらに、チャンネルａ、チャンネルｂのＴＭＣＣ信号から復調したＯＦＤＭ伝送信号の各種パラメータ情報も復調手段１０６ａ、１０６ｂから入手する。
【００２７】
これら情報を入手した伝送パラメータ比較手段１０７は、セグメント置き換え可能か否かの判定を行なう。
【００２８】
本実施の形態１のように、アンテナ手段１０１ａと１０１ｂが異なるチャンネルを受信する場合（図２、ステップＳ００１）、伝送パラメータ比較手段１０７はチャネルａとチャネルｂの信号のモードとガード比が同じか否かの比較を行なう（ステップＳ００２）。ここでチャネルａとチャネルｂの信号のモードまたはガード比のいずれか一方または両方が異なると判断された場合（ステップＳ００３）、部分受信セグメント部の置き換えはできない（ステップＳ００６）。一方、ここでチャネルａとチャネルｂの信号のモードとガード比が同じであると判断された場合（ステップＳ００３）、伝送パラメータ比較手段１０７は次に、チャネルａ、チャネルｂの信号が共に部分受信セグメントを持つか否かを判断する（ステップＳ００４）。この判断は、復調手段１０６ａ、１０６ｂから入力したＴＭＣＣ信号の部分受信フラグを参照することによって行なう。チャネルａ、チャネルｂのどちらか一方または両方が部分受信セグメントを持っていないと判断された場合、部分受信セグメントの置き換えは行われない（ステップＳ００６）。反対に、以上２条件とも合致していれば、伝送パラメータ比較手段１０７は部分受信セグメントの置き換えが可能と判断する。
【００２９】
以上の手順において、伝送パラメータ比較手段１０７が部分受信セグメントの置き換えを可能と判断した場合、伝送パラメータ比較手段１０７はセグメントを置き換え可能かどうかの判定結果を合成手段１０８に対して出力する。また、伝送パラメータ比較手段１０７は復調手段１０６ａ、１０６ｂから入手したチャネルａ、チャネルｂの伝送パラメータ情報のうち、置き換えされる部分受信セグメントの伝送パラメータ情報を置き換える。
【００３０】
例えば、チャンネルａおよびチャンネルｂが１２セグメント部分でＨＤＴＶ１番組を放送している場合でチャンネルｂ表示中の画面に対してチャンネルａを子画面表示する場合、チャンネルｂの１２セグメント部分の放送に関する伝送パラメータ情報とチャンネルａの１セグメント部分の放送に関する伝送パラメータ情報を選択し、再生成した伝送パラメータ情報を後段ブロック（デインタリーブ手段１０９、デマッピング手段１１０、ビットデインタリーブ手段１１１、誤り訂正手段１１２）に出力する。
【００３１】
なお、伝送パラメータ比較手段１０７が部分受信セグメントの置き換えを不可能と判断した場合、判定結果を図示しない画面表示部に送信し、子画面表示ができないことをユーザに通知するようにしてもよい。
【００３２】
合成手段１０８は、伝送パラメータ比較手段１０７から入力した判定結果に基づいて、チャンネルａおよびチャンネルｂのセグメントを選択する。例えば、伝送パラメータ比較手段１０７から部分受信セグメントの置き換え可能との判定結果を入力した場合、図３に示すように、チャネルａの部分受信セグメントとチャネルｂの１２セグメント部分を選択する。具体的には、選択したチャンネルａの１セグメントの複素信号をいったんバッファに記憶させ、１セグメント部分のＯＦＤＭフレームの先頭位置を、１２セグメントの信号とあわせるようにタイミング調整して出力する。この場合、ＯＦＤＭフレームの先頭位置は、フレームの先頭を示すパルス信号等で知ることができる。
【００３３】
合成手段１０８は、選択後の複素信号をデインタリーブ手段１０９に出力する。また、合成手段は復調手段１０６ａおよび１０６ｂから入手した電力情報または振幅情報を信頼性情報としてデインタリーブ手段１０９に出力する。
【００３４】
デインタリーブ手段１０９は、合成手段１０８より得られた選択後の受信信号点の複素信号を、周波数及び時間方向に並び替えを行う。並び替えの方法は、あらかじめ規定されており、送信側で施した並び替えを元に戻す。
【００３５】
デマッピング手段１１０は、デインタリーブ手段１０９より得られた受信信号点の情報をもとに信号の持つビットデータを復元する。ビットデータの復元は、受信信号点から最も近いマッピング点に割り当てられた符号列が送信符号列であったと仮定して行なう。例えば、受信信号が１６ＱＡＭ変調でキャリア変調された場合には、図４に示すような規則に従いビットデータの復元を行う。この際、ビット毎に、受信信号点に対し送信符号点が０であるマッピング点と、送信符号点が１であるマッピング点との最短距離を算出し、距離に応じて求まる値を尤度（０らしさ、１らしさ）として後段の誤り訂正手段に伝達する（軟判定と呼ばれる）。
【００３６】
尤度を算出する場合には、合成手段１０８よりデインタリーブ手段１０９を経て入手した信頼性情報を用いて、上記尤度を補正する。信頼性情報が低い値の場合、尤度を０（０らしさと１らしさが等しい）へと補正し、信頼性情報が高い値の場合、算出した尤度をそのまま補正せずに出力する。もしくは、合成手段１０８から得られるキャリアの電力情報または振幅情報である信頼性値を、先に求めた尤度に乗じて出力する。
【００３７】
以上のように、デマッピング手段１１０は、合成手段１０８より得られた受信点の情報から求めたビットデータ列と、ビット毎の尤度を算出し出力する。
【００３８】
次に、ビットデインタリーブ手段は、デマッピング手段１１０の出力の並び替えを行う。並び替えの方法は、あらかじめ規定されており、送信側で施した並び替えを元に戻す。
【００３９】
誤り訂正手段１１２は、ビットデインタリーブ手段１１１より入手したビットデータ列と、各ビットデータの尤度の情報を用いて誤り訂正を行う。この際、ビタビ復号と呼ばれる誤り訂正方法が用いられることが多く、さらにリードソロモン訂正符号を組み合わせることが多いが、これに限られるものではなく、前述の尤度を用いた誤り訂正であればどのような方法であってもよい。
【００４０】
これにより、地上波デジタル放送において受信した放送信号のうち、１セグメント部分のみを置き換えた放送信号を入手することができる。このように１セグメント部分のみを置き換えた放送信号を用いて図示しない映像表示部において子画面表示を行うことができる。子画面表示を行う際は映像表示部において放送信号から１セグメント部分を抽出して、残りの１２セグメント部分の画面を表示した表示部のうち、ユーザが指定する任意の場所に子画面表示を行えばよい。１セグメント部分がデータ放送である場合などは、表示画面の下端部分に文字情報を表示することも可能である。
【００４１】
以上の通り、本発明の受信装置によれば、あるチャンネルの固定受信向け番組を試聴中に、別チャンネルの１セグメント放送を子画面表示することができる。また、このような２画面表示が、合成した１つの放送信号の復号処理に基づいて可能となるため、従来の２画面表示機能が必要としていた複数映像信号の復号処理が必要でなくなり、受信装置の部品点数の削減や消費電力の低減を実現することが可能となる。
【００４２】
（実施の形態２）
本実施の形態２は、本発明にかかる部分セグメントの置き換えを、複数ブランチを有するダイバーシティ受信装置に組み込んだものである。
【００４３】
図５は、本発明の別の実施の一例を示すブロック図である。
【００４４】
図５において、１０１ｎ〜１０６ｎは実施の形態１における１０１ａ〜１０６ａに対応するものである。
【００４５】
本実施の形態２において、ユーザは図示しない置き換え指示部に対して、画面表示におけるメイン画面をどのチャンネルにするか、子画面表示するチャンネルをどれにするか、指示を与える。この場合、それぞれのブランチ（１０１ａ〜１０６ａ、１０１ｂ〜１０６ｂ・・・）がどのチャンネルを受信するかは置き換え指示部からの指令に基づく。チューナ手段１０２ａ〜１０２ｎは置き換え指示部からの指令に従い、アンテナ手段１０１ａ〜１０１ｎより得られた信号から特定の周波数帯域の信号を抽出し、ベースバンドもしくは一定の周波数帯域の信号へと変換する。
【００４６】
どのブランチがどのチャンネルを受信するかは、置き換え指示部からの指令に基づいて決定されるが、何本のブランチがチャンネルを受信するかについても任意に設定することができる。例えば、４本ブランチのダイバーシティ受信装置の場合、ブランチａ、ｂはチャンネルａを、ブランチｃ、ｄはチャンネルｂを受信するように決定することができる。この場合、ブランチａ、ｂからの放送信号をダイバーシティ合成し、ブランチｃ、ｄからの放送信号をダイバーシティ合成する。その上でチャンネルａとチャンネルｂのセグメントを合成するようにすればよい。これにより、部分受信セグメントにおいても良好な受信状態を実現可能である。一方、ダイバーシティ受信機が、３以上のブランチで構成される場合には、固定受信向け放送に比して、通常、１セグメント部受信の方が誤りに強いので、１セグメント受信用に１ブランチを使用し、残りのブランチは１２セグメントの方を受信することも可能である。この場合、１２セグメント部分は、合成動作を行い、１セグメント部分だけ伝送パラメータ情報の選択動作を行う。これにより、画面表示における主画面についての受信状態を良好に維持しつつ、子画面表示を行うことが可能となる。また１セグメント部分にデータ放送が含まれる場合には、メモリやハードディスク等の記憶媒体にデータ放送を蓄積しておき、後でユーザがこれを選択して画面表示できるようにしてもよい。
【００４７】
伝送パラメータ比較手段１０７および合成手段１０８も置き換え指示部からの子画面表示の指令に基づいてそれぞれの処理を行う。すなわち、伝送パラメータ比較手段１０７は、置き換え指示部からの子画面表示の指令に基づいて子画面表示となるチャンネルａまたはチャンネルｂの部分受信セグメントの置き換えが可能か否かを判定する。また、合成手段１０８は、置き換え指示部からの子画面表示の指令に基づいてチャンネルａまたはチャンネルｂのセグメントを選択する。例えば、置き換え指示部からチャンネルａの子画面表示の指令があった場合、伝送パラメータ比較手段１０７はチャンネルｂの１２セグメント部分の放送に関する伝送パラメータ情報とチャンネルａの１セグメント部分の放送に関する伝送パラメータ情報を選択し、再生成した伝送パラメータ情報を後段ブロック（デインタリーブ手段１０９、デマッピング手段１１０、ビットデインタリーブ手段１１１、誤り訂正手段１１２）に出力する。また、合成手段１０８はチャネルｂの１２セグメント部分の複素信号と、チャネルａの部分受信セグメントを選択、両者のタイミングを調整してデインタリーブ手段１０９に出力する。
【００４８】
本実施の形態２において、合成手段１０８は、実施の形態１で説明したセグメントの選択のみならず、複数の復調手段１０６から出力された複素信号のダイバーシティ合成を行う。すなわち、合成手段１０８は、復調手段１０６ａ〜１０６ｎから複素信号および電力情報、振幅情報を入手する。そして、復調手段１０６ａ〜１０６ｎから得られた複素信号を合成する。合成時には、復調手段１０６ａ〜１０６ｎで算出した受信信号が送信されたキャリアの電力量または振幅量α、β、γ・・・をもとに、重み付け処理を行って信号を加算する。電力量または振幅量α、β、γ・・・は量子化された値としてもよい。
【００４９】
合成手段１０８は、後段のデインタリーブ手段１０９に対して、合成後の受信信号点の複素情報と、信頼性情報を出力する。
【００５０】
これ以降の動作については、実施の形態１と同じであるため省略する。
【００５１】
このように、本発明の実施の形態２の受信装置によれば、複数ブランチを有するダイバーシティ受信装置においても部分受信セグメントを置き換え、子画面表示、データ放送画面表示を実現することが可能となる。ダイバーシティ受信装置の受信状況が良く、必ずしも複数ブランチを使う必要がない場合に、「空きチューナ＋復調部」を使って子画面表示等の機能を増やすことができる。さらに、ダイバーシティ受信装置の受信状況が良い場合には、自動的に１つのブランチの選局チャンネルを順次切り替え、複数のチャンネルの部分受信セグメント部に含まれるデータ放送をメモリやハードディスク等の記憶媒体に蓄積しておき、後でユーザがこれを選択して画面表示できるようにすることも可能である。
【産業上の利用可能性】
【００５２】
本発明の受信装置によれば、あるチャンネルの固定受信向け番組を試聴中に、別チャンネルの１セグメント放送を子画面表示することができる。このようなユーザの要望にこたえる受信装置として産業上利用できる。
【図面の簡単な説明】
【００５３】
【図１】本発明の実施の形態１における受信装置の構成を示すブロック図
【図２】本発明の実施の形態１における伝送パラメータ比較手段の動作を説明したフローチャート
【図３】本発明の実施の形態１における部分受信セグメントの置き換えを説明した図
【図４】本発明の実施の形態１におけるビットデータの復元方法を示した図
【図５】本発明の実施の形態２における受信装置の構成を示すブロック図
【符号の説明】
【００５４】
１０１    アンテナ手段
１０２    チューナ手段
１０３    Ａ／Ｄ変換手段
１０４    直交検波手段
１０５    ＦＦＴ演算手段
１０６    復調手段
１０７    伝送パラメータ比較手段
１０８    合成手段
１０９    デインタリーブ手段
１１０    デマッピング手段
１１１    ビットデインタリーブ手段
１１２    誤り訂正手段
【図１】
2006041982.tif 000003
【図２】
2006041982.tif 000004
【図３】
2006041982.tif 000005
【図４】
2006041982.tif 000006
【図５】
2006041982.tif 000007